(57)【特許請求の範囲】
【請求項１】
含水汚泥を配管を通じてセメント製造装置の窯尻部または仮焼炉に供給して処理する含水汚泥の処理方法において、前記配管と前記窯尻部または仮焼炉の接続付近の前記配管に液体と空気を別々に供給することを特徴とする含水汚泥の処理方法であって、
前記液体と前記空気は、前記含水汚泥中心部が軟化し、かつ前記含水汚泥の塊が小さくなるとともに分散する圧力および量で供給されること
を特徴とする含水汚泥の処理方法。
【請求項２】
前記接続部付近は、前記窯尻部または仮焼炉の壁面から１００ｃｍ以内の前記配管部分である請求項１記載の含水汚泥の処理方法。
【請求項３】
前記液体は、前記配管の底部から供給される請求項１または２記載の含水汚泥の処理方法。
【請求項４】
接続部付近の前記配管の先端内部が放射状に仕切られている請求項１から３のいずれか１項に記載の含水汚泥の処理方法。
【発明の詳細な説明】
【技術分野】
【０００１】
本発明は、含水汚泥をセメント製造装置の窯尻部または仮焼炉に供給して処理する含水汚泥の処理方法に関する。
【背景技術】
【０００２】
近年、終末下水処理場から廃棄される脱水汚泥の処分方法として、焼却処理や溶融処理等による埋立て処分だけでなく、資源として再利用処理がかなり進められている。セメント工業界においては、この脱水汚泥、下水汚泥、汚泥の焼却灰等をセメント原料として有効利用しながら処理する等、環境問題への寄与について積極的に取り組んでいる。
【０００３】
図１は、下水汚泥の輸送装置を備えたセメント製造装置の焼成炉を示す一般的な模式図であって、１はサスペンジョンプレヒータ、２は仮焼炉、３はロータリーキルン、４はクリンカクーラ、６は排気ファン、５は燃焼用のバーナーである。セメント粉末原料はサスペンジョンプレヒータ１の上部から投入され、５段のサイクロン装置と仮焼炉２によって予熱と仮焼を行い、ロータリーキルン３の窯尻部９へ投入され、温度が約１５００℃の高温で焼成された後、クリンカクーラ４によって、急冷されてセメントクリンカとなる。含水汚泥は、圧送ポンプ７によって、輸送配管８を経由して窯尻部９または仮焼炉２へ投入され、温度８５０乃至１１５０℃にて高熱処理される。
【０００４】
例えば、特許文献１には、汚泥を乾燥するか、または添加剤等を用いることなく含水率が高いままのいずれかで、セメント製造装置のロータリーキルン３の窯尻部９、または仮焼炉２に輸送配管８によって圧送を行い投入して熱分解処理する技術が提案されている。また、特許文献２には、工場廃液と事前にタンクで混合して配管輸送してセメント製造装置のロータリーキルン３による熱分解によって処理をしているものが提案されている。
【０００５】
しかし、これら汚泥の処理では周囲に悪臭が洩れないように圧送ポンプを用いて、配管により受入れ設備からセメント製造装置の投入位置まで輸送していることから、輸送距離が一般的に長い。この為、輸送途中で圧送による圧縮によって汚泥が押し固められ、汚泥の周囲の配管内壁側に液体のみが分離し搾り出されて、汚泥が脱水してしまうので、セメント製造装置への投入位置においては硬い粘土状態となる。
【０００６】
これにより、配管から長距離をある程度送り出した後、特に、投入直前の下り方向の配管中において汚泥の自重により汚泥の連続体が切れることによって、分離した塊になってセメント製造装置の中に落下していく。そのため、投入が断続的となり、また汚泥中の水分が急激に蒸発して起こる水蒸気爆発等によって、セメント製造装置内でのプロセスが変動する要因となり、セメント製造装置の安定運転を阻害していた。大量に下水汚泥を圧送する場合に特に顕著な現象であった。
【特許文献１】特開平８−２７６１９９号公報
【特許文献２】特開２０００−２３９０５０号公報
【発明の開示】
【発明が解決しようとする課題】
【０００７】
本発明は、下水汚泥など含水率の高く、悪臭のある含水汚泥をセメント製造設備に大量に投入して処理する際に、圧送配管の途中にて閉塞を起こすことなく、汚泥をセメント製造装置の焼成炉内に分散させ連続的に投入し汚泥を安定的に処理することができる方法を提供することを目的とする。
【課題を解決するための手段】
【０００８】
本発明は、含水汚泥を配管を通じてセメント製造装置の窯尻部または仮焼炉に供給して処理する含水汚泥の処理方法において、前記配管と前記窯尻部または仮焼炉の接続部付近の前記配管に液体と空気を別々に供給することを特徴とする含水汚泥の処理方法である。前記接続部付近は、前記窯尻部または仮焼炉の壁面から１００ｃｍ以内の前記配管部分である。
また、前記液体は、前記配管の底部から供給されることが好ましい。
さらに、接続部付近の前記配管の先端内部が放射状に仕切られていることが好ましい。
【発明の効果】
【０００９】
本発明によれば、含水汚泥の使用によるセメント製造設備の操業への悪影響を軽減し、セメント生産量の低減や、燃料原単位の悪化が少なくなり、操業が安定して含水汚泥を有効に使用することができる。輸送配管の途中での閉塞が大幅に軽減され、連続安定した汚泥の輸送が達成できる。
【発明を実施するための最良の形態】
【００１０】
本発明で用いられる含水汚泥としては、下水汚泥、上水汚泥、し尿汚泥、製紙汚泥、ヘドロ汚泥などが挙げられる。含水率は７０重量％以上のものを好適に使用することができる。含水汚泥は、セメント工場内において配管を通じて輸送される。これにより、汚泥の悪臭を系外に排出しないようにしている。
図２に本発明における含水汚泥の受入れからセメント製造装置への供給までの概略図を示す。汚泥の受入れホッパ１１から圧送ポンプ７によって、輸送配管８を経由して、セメント製造装置の窯尻部９または仮焼炉２に供給される。セメント工場へ、貨車積コンテナ・トレーラ、ダンプ積トラックなどの各種車両によって受入れられた含水汚泥は、受入れホッパ１１への受入れ中のみ受入れホッパ１１の蓋２１が開いて、一旦受入れられる。受入れホッパ１１の周辺は、下水汚泥が発生する悪臭を周辺に洩らさないような建屋２０の構造になっている。受入れホッパ１１の投入口周辺は建屋２０の外部に空気が洩れないように、建屋２０の内部は外気圧よりも若干低い圧力に調整されており、該建屋２０内の空気の排気ガスは図２に記載されていない他の装置で脱臭処理される。
【００１１】
受入れホッパ１１に搬入された含水汚泥は、下部の抜き出し装置１２から抜き出される。抜き出し装置１２は、スクリュー式、チェーン式、升式などいずれでもよいが、好ましくはスクリュー式がよい。このスクリューは１軸式でも2軸式タイプでもよいが、スクリューの羽根にセルフ・クリーニング機能をもったものが好ましい。抜き出し装置１２を出た含水汚泥は圧送ポンプ７への供給機２２へ送られる。供給機２２は、撹拌機能を有したバネ形状の２軸オーガフィーダが好ましく、この羽根もセルフ・クリーニング機能をもったものがよい。供給機２２から供給された含水汚泥は圧送ポンプ７へ送られる。圧送ポンプ７はシリンダによる吸い込み・押し出し方式が好ましい。圧送ポンプ７を出た含水汚泥は、輸送配管８でセメント製造装置へ圧送される。
【００１２】
輸送配管８は、窯尻部９から仮焼炉２まで間のいずれかの温度８５０乃至１１５０℃の高温領域へ接続されている。含水汚泥は、圧送ポンプ７からの圧送によって、炉内へ投入される。輸送配管と前記窯尻部または仮焼炉の接続部付近の前記配管には、液体と空気が別々に供給される。この接続部付近の配管を以下においては気水混合管という。気水混合管１６からの炉内への含水汚泥の投入方向は、水平から下向き角度０乃至４５度の任意の投入方向であってもよい。気水混合管１６を下向きにする場合は、含水汚泥が炉内に投入される位置において、対向側の炉壁に汚泥が突き当たる可能性がある際に行うものである。
【００１３】
気水混合管に空気を供給する態様を説明する。図４には、水平配置された気水混合管１６の例を示す。管径がφ６５ｍｍの空気噴射口１５は、管径がφ２５０乃至３００ｍｍの気水混合管１６における水平面の左右２箇所から斜め角度２５乃至４０度で含水汚泥へ空気が合流する構造となっている。空気噴射口１５の設置は、気水混合管１６の外管壁周囲から１乃至４方向のいずれの箇所であってもよい。空気を複数箇所から供給することにより、配管内部における偏流を抑制することができる。空気噴射口１５内の空気圧力は、１３乃至２０Ｍｐａが好ましい。空気供給口は、炉壁面から１００ｃｍ以内、好ましくは２５乃至５０ｃｍである。
【００１４】
空気噴射口１５の途中でエアパージ多孔板２３を経由して気水混合管１６に導入することができる。エアパージ多孔管２３の口径φ２乃至５ｍｍ孔の配列は、均一間隔の網状であってもよく、図５に示すような数珠輪の環状であってもよい。エアパージ多孔板２３の設置によって、気水混合管１６の内部で均等な撹拌を行うことができる。エアパージ多孔板２３が設置されない場合は、空気噴射口１５からの空気流が、管内の対向する内壁に直接ぶつかりやすくなって、気水混合管１６の内壁部を空気のみが偏流通過することによって、気水混合管１６の内部での短時間での混合が不十分となるおそれがある。また、空気噴射口１５が１箇所の場合でも、気水混合管１６の内部で管壁部を偏流し、混合特性が悪くなるおそれがある。
【００１５】
気水混合管１６の内部の流れは基本的には乱流であるが、図３に示すように、空気噴射口１５の導入方向を調節することによって旋回流を発生するように空気導入をした方が好ましい。空気噴射口１５の導入方向について、気水混合管１６の中心軸から角度が双方プラスマイナス１０度程度ほど上下に偏向させて接続し導入させることによって内部で旋回流を起こすことが可能となる。気水混合管１６の内部で旋回流を起こすことによって、含水汚泥の炉内での分散性を高めることができる。
【００１６】
次に、気水混合管に液体を供給する態様を説明する。本発明で用いられる液体としては、水や酸性廃水、アルカリ性廃水、有機物や無機物を含む廃液などの工場廃液などが挙げられる。図４に示すように、２次注水口１４は、炉壁へ水平方向に設置された気水混合管１６の垂直面方向の底部から斜め角度２５乃至４０度で、水が合流する管径φ５０ｍｍの構造とする。２次注水口１４の数は気水混合管１６の外管壁に斜めから、１箇所ほど水を合流させることが好ましいが、２箇所から合流させてもよい。液体の流量は、圧送汚泥の流量の２乃至６重量％であって、圧力は３．０乃至４．０ＭＰａである。液体の供給口は、炉壁面から１００ｃｍ以内、好ましくは２５乃至５０ｃｍである。
２次注水口１４の役割については、含水汚泥の炉内投入口の付着物を除去することと、含水汚泥の塊が炉内の下方に落下しないようにすることを目的としている。これらの目的のため、気水混合管１６の下部から斜め上方に向けて１乃至２箇所ほど噴射している。汚泥は、圧送する過程で管内の圧力による脱水現象によって管壁近隣部へ水分が移動し、そのために管内の中心部が硬くなってくる。また、気水混合器１６が設置されている場所は、炉内の温度が８５０乃至１１５０度の高温であるため気水混合器１６の先端が加熱されるので、気水混合管１６の内部管壁のうち、特に下面の管壁に乾燥途中の汚泥が付着し易くなる。液体を追加し混合することにより、中心部の軟化を促進し、汚泥の塊を小さくして分散しやくすることができる。また、管壁に付着した汚泥の除去を行い、汚泥の冷却を行って付着を抑制することができる。
【００１７】
液体と空気は、別々に気水混合管１６に供給される。液体と空気の供給位置は同一平面状でも、異なる平面状でも良い。前述した管壁に付着した汚泥の除去と汚泥の冷却を行って付着を抑制する観点から、液体の供給口を炉壁により近くすることが好ましい。
【００１８】
炉壁に近い気水混合管１６の先端内部は、放射状に仕切られた構造とすることができる。図３には、十字の放射状に仕切った構造を示す。気水混合管１６の内部に旋回流を起こす形状の場合は、十字板１７も旋回流方向に、スパイラル形状にする方がよい。十字板１７の寸法は、板厚が５乃至７ｍｍで、長さが８０乃至１５０ｍｍである。このようにして、炉内で含水汚泥を分散させることによって、炉内の高温ガスと効率的に接触し、短時間で熱処理を行うことができる。
【００１９】
気水混合管１６に到達するまでの輸送配管８については、圧送中に配管内の圧力が異常に上昇する場合に、配管輸送の途中に注水することで配管内の管壁の摩擦抵抗を低減させるための別の注水装置を取り付けてもよい。注水装置の必要なケースは、汚泥の水分が低くても受入れホッパ１１から抜き出しやすい場合や、輸送配管８が長距離・高階層の位置などの際で汚泥の輸送困難な場合であり、注水装置を設置する方が好ましい。注水量は輸送汚泥流量の２乃至６重量％程度が好ましい。
【実施例】
【００２０】
図２から図５を使用しながら本実施例を説明する。常温の含水率８０重量％の下水汚泥は汚泥輸送用のコンテナに入れてダンプ式トレーラ１０によって輸送され、セメント工場の受入れホッパ１１へ投入された。受入れホッパ１１では、汚泥の硬さは水を添加して調整した。硬さの調整は、受入れホッパ１１の下部に位置する１軸式スクリューフィーダである抜き出し装置１２の電流値が電流設定値より大きい場合は抜き出し装置１２の出口におけるオーガフィーダである供給機２２で１次注水口１３から注水し、供給機２２の電流が電流設定値を下回る場合は該注水を停止する。なお本実施例では、輸送配管８の途中での注水装置を使用しなかった。
【００２１】
含水量を調整された汚泥は、７．５ＭＰａの吐出圧の圧送ポンプ７によってセメント製造装置へ向かって輸送配管８を通って気水混合管１６まで輸送されることによって、仮焼炉２の内部温度が８８０℃の位置に投入された。輸送距離は、水平１１５ｍ、揚程の高さが３５ｍで、配管径はφ２００ｍｍである。また、輸送量は５．３ｔ／ｈｒである。次にセメント製造装置の炉内投入位置から２５ｃｍ手前の気水混合管１６の途中位置で汚泥を軟弱化させるための水は、０．１６ｔ／ｈｒほど２次注水口１４から注入した。この時の液体として工場のアルカリ成分を含有する廃液を使用した。２次注水口１４は、気水混合管１６の管壁周囲の最下部から垂直方向の傾斜角度３１度の傾斜方向にて１個所ほど設置し、注水口径はφ５０ｍｍであった。
【００２２】
また、空気噴射口１５については、気水混合管１６の先端から３０ｃｍの位置で、気水混合管１６の管壁から水平方向角度３１度の斜め方向に左右両側から２箇所の口径φ６５ｍｍの配管を接続し、汚泥の分散性の向上を図った。気水混合管１６の内部にて、空気噴射口１５からの空気が直接的に衝突し難いように、左右両側からの空気噴射口１５の上下方向を互いに逆方向に管芯から角度１０度ほど上下させた。空気噴射口１５の途中に設置されるエアパージ多孔板１８は、図５に示す。エアパージ多孔板１８の断面には、口径φ２ｍｍの孔が数珠輪のような多孔の環状に１２個ほど孔が空けてあり、この孔からの噴出流によって、気水混合管１６の内部で旋回流は発生し、内部での混合特性を向上させることができた。なお、空気噴射を行う送風機は１５ＭＰａの送風圧力を有するものを使用した。
【００２３】
さらに、図３に示すように、分散性をよくするために気水混合管１６の汚泥投入口先端部に十字板１７を設置した。十字板１７は、配管の口径がφ２５０ｍｍで長さ１００ｍｍの十字型の羽を有するものを設置した。なお、この十字板１７の羽の断面形状はクサビ状を構成しており、汚泥の流れがスムースになるようになっている。これによって、汚泥の炉内への分散放出の向上が図ることができた。なお、図４の水平断面図に示すように気水混合管１６の先端は、仮焼炉２の炉壁１９の壁面と同じ位置にあって、仮焼炉２内部のセメント原料が直接、気水混合管１６に衝突しない位置としている。
【００２４】
これらにより、セメント製造設備の操業への悪影響を軽減し、セメント生産量の低減や、燃料原単位の悪化が少なくなり、操業が安定して含水汚泥を有効に使用することができた。輸送配管の途中での閉塞が大幅に軽減され、連続安定した汚泥の輸送が達成することができた。
【産業上の利用可能性】
【００２５】
本発明は、含水汚泥を配管輸送し工業用燃焼炉で焼却処理をし、原燃料として利用する際に利用できる。
【図面の簡単な説明】
【００２６】
【図１】一般的なセメント製造装置の焼成炉を示す模式図である。
【図２】本発明における含水汚泥の受入れからセメント製造装置への供給までの概略図である。
【図３】本発明における汚泥吹込み用の気水混合管の形状を示す。
【図４】本発明における右図は水平断面で、左図が垂直断面の概略図である。
【図５】本発明における気水混合管のエアパージ多孔板の一例で、孔が数珠輪の環状の例を示す概略図である。
【符号の説明】
【００２７】
１    サスペンジョンプレヒータ
２    仮焼炉
３    ロータリーキルン
４    クリンカクーラ
５    排気ファン
６    バーナー
７    圧送ポンプ
８    輸送配管
９    窯尻部
１０  ダンプ式トレーラ
１１  受入れホッパ
１２  抜き出し装置
１３  1次注水口
１４  ２次注水口
１５  空気噴射口
１６  気水混合管
１７  十字板
１８  エアパージ多孔板
１９  炉壁
２０  建屋
２１  蓋
２２  供給機
【図１】
0005315736.tif 000002
【図２】
0005315736.tif 000003
【図３】
0005315736.tif 000004
【図４】
0005315736.tif 000005
【図５】
0005315736.tif 000006